【事件の表示】
　特願２００５−１９３６０８「水素貯蔵ベースの再充電可能な燃料電池システム及び方法」拒絶査定不服審判事件〔平成１８年　１月１９日出願公開，特開２００６−　１９３０２〕について，次のとおり審決する。
【結　論】
　本件審判の請求は，成り立たない。
【理　由】
１．手続の経緯・本願の発明　
　本願は，２００５年（平成１７年）　７月　１日（パリ条約による優先権主張　２００４年（平成１６年）　７月　２日，米国）の特許出願であって，平成２４年１０月　３日付けで拒絶査定（発送日：平成２４年１０月　９日）がなされ，この査定を不服として，平成２５年　２月　８日に本件審判が請求されると同時に，手続補正がなされた。　
　そして，平成２６年　９月１９日付けで当審において拒絶理由が通知（発送日：平成２６年　９月２４日）され，その応答期間内である平成２７年　３月２４日に意見書及び手続補正書が提出されたところである。　
　この出願の請求項１〜８に係る発明は，平成２７年　３月２４日に提出された手続補正書により補正された特許請求の範囲の請求項１〜８に記載された事項により特定されるものと認められるところ，その請求項１に係る発明（以下，「本願発明」という。）は，次のとおりのものである。　
「【請求項１】　
　水素を貯蔵可能な第１の電極（４）と，第２の電極（６）と，上記第１の電極と第２の電極の間に配設された実質的に電気絶縁性の膜（８）であって電解質を吸収させることにより実質的にイオン伝導性とした膜（８）と，前記膜（８）の第２の電極（６）側に隣接して配置された触媒層（２８）と，前記触媒層（２８）と第２の電極（６）との間に配置されたガス拡散層（２６）とを備えるデュアルモード電気化学システムであって，　
　第１のモードにおいて，水と電気とが導入されると，当該デュアルモード電気化学システムは上記電解質存在下で水を電解して，膜（８）を通して水素と酸素とを発生させ，水素が第１の電極（４）に貯蔵され，第２のモードにおいて，第２の電極（６）に酸化性物質が導入されると，当該デュアルモード電気化学システムは，貯蔵された水素と酸化性物質とが膜（８）を通して反応して水と電気とを発生させるものであり，第１の電極（４）がアノードであり，第２の電極（６）がカソードであって，該カソードが，スズドープ酸化インジウム（Ｉｎ２Ｏ３），ストロンチウムドープＰｒＭｎＯ３，Ｌａフェライト，Ｌａコバルタイト及びＲｕＯ２−ＹＳＺからなる群から選択される材料を含むことを特徴とするシステム。」　
　
２．刊行物とその記載事項　
（１）平成２６年　９月１９日付けの当審における拒絶の理由で引用された本願の優先権主張の日前に頒布された刊行物である特表２００３−５２６８９０号公報（以下，「刊行物１」という。）には，「新アルカリ燃料電池」に関し，図面とともに次の事項が記載または示されている。　
　
・「【０００１】　
（発明の分野）　
　本発明は，燃料電池，特にオボニック瞬間始動アルカリ燃料電池に関する。本燃料電池は，高価な貴金属を含まず常温で動作する材料を用いて，現今の燃料電池技術に存在する主な障壁を解決する電極を利用している。特に，本発明の瞬間始動燃料電池は，水素貯蔵材料から形成された正極を備えている。この水素貯蔵合金は，水素を貯蔵するのみでなく，分子水素から水素原子を形成するための優れた触媒活性度を有し，水素分子から水酸原子を形成するための優秀な触媒活性度も有している。傑出した触媒能力を有するのに加えて，その材料は，燃料電池のアルカリ性電解液に対する優れた耐食性をも有している。これらの特徴が，本燃料電池を瞬間的に始動させ，広い温度範囲（−２０から１５０℃）で使用でき，電解槽として逆向に動作させることにより回収エネルギーを受容させて，それにより外部加熱素子又は電池の必要性を取り除く。この方式によって，本発明は，当初からこの技術を悩ませてきた問題点を修正する，新世代燃料電池を提供している。」　
　
・「【００２８】　
（発明の要約）　
　本発明の目的は，瞬間始動する能力を有し，且つ電解槽として逆向きに運転することにより回生制動のエネルギーのような回収エネルギーを受容できる燃料電池である。瞬間始動燃料電池は，増強された効率及び出力利用性（高電圧及び大電流）並びに動作温度範囲の劇的改善（−２０から１５０℃）を具備している。燃料電池は，水素貯蔵能力を有する正極活性材料を採用する。正極活性材料は，分子状水素から原子状水素を生成する優れた触媒活性度，水素イオン及び水酸基イオンから水を生成する傑出した触媒活性度を有し，且つアルカリ燃料電池のアルカリ性電解液に対して例外的な耐食性を有する水素貯蔵合金である。正極活性材料は，更に低価格であり貴金属を含まない。材料は強固であり，触媒毒作用に抵抗力がある。電極は実証済みの低原価生産技術により製造が簡単である。正極は炭素の使用を排除しているので，燃料電池の炭酸塩毒作用を除去するのに役立っている。　
【００２９】　
　本瞬間始動燃料電池において有用な正極活性水素貯蔵合金は，可逆的に水素を吸収且つ放出し，速い水素化反応速度及び永い保管寿命を有する。水素貯蔵合金は，希土類／ミッシュメタル合金，ジルコニウム合金，チタン合金及びそれらの混合物又は合金から選ばれるのが好ましい。」　
　
・「【００３２】　
　図１は，燃料電池貯蔵正極１の様式化した概略図である。正極本体は，疎水性構成要素２（ポリテトラフルオロエチレン（ＰＴＦＥ）など），水素貯蔵正極活性材料構成要素３を備えている。図１は，疎水性構成要素２及び活性電極材料構成要素３を正極１内における別個の材料層として示しているが，単一材料としてよく混ざるように混合されてもよい。正極１は，更に，少なくとも，電流集電体として働くが，支持機能を与えることもある基板構成要素４を備える。この基板構成要素は以下に考察される。　
 【００３３】　
　正極１は二つの表面５，６を有する。一つの表面５は，燃料電池に取り入れられた場合，反応物質（即ち水素又は酸素）入口機構に隣接するが，他方の表面６は水溶性アルカリ電解液に隣接する。上で述べたように，疎水性（ＰＴＦＥ）構成要素２は，正極内の一つの層であるか又は正極材料３とよく混ざるように混合される。何れの場合においても，疎水性（ＰＴＦＥ）材料の目的は，水素が水素源から電極材料に達するのを許す一方で，燃料電池の水溶性アルカリ電解液から水が逃げるのを防ぐ水障壁として働くことである。このように，正極の一部分である表面６（及び表面から幾らか内側）は，電解液と接触し水素を（電子を与えて）酸化する役を果たし，一方正極材料の残りの部分（表面５を含んで）は，水素分子の解離，及び後に表面６で行なわれる酸化のための解離した水素の貯蔵のために備え付けられる。　
 【００３４】　
　本発明の正極活性材料３は，水素貯蔵材料と添加触媒材料との複合材である。好ましい水素貯蔵合金は，水素貯蔵能力に係わらず可逆的に水素を吸収及び放出でき，速い水素添加反応速度，電解液の優れた安定性及び永い保管寿命を有するものである。水素貯蔵能力によって，材料が痕跡量よりもゼロではない量だけ多い水素を安定して貯蔵することを意味するという事実に注目すべきである。好ましい材料は水素を約０.１重量％又はそれ以上を貯蔵するであろう。好ましくは，合金は，例えば，希土類／ミッシュメタル合金，ジルコニウム及び／又はチタン合金又はその混合物を含む。水素入力表面５上の材料が，水素分子の水素原子への解離に対して特に触媒作用を持つように設計された材料で形成され，一方電解液界面６上の材料が，水素及び水酸基イオンからの水の生成に対して強い触媒作用を持つように設計されているというように，正極材料が層状に形成されることもある。　
【００３５】　
　本発明者等は，或る種の水素貯蔵材料がアルカリ燃料電池正極材料として例外的に有用であることを見出した。有用な水素貯蔵合金は，分子状水素からの水素イオンの生成に対して優れた触媒活性を有し，更に水素イオンと水酸基イオンからの水の生成に対する優れた触媒活性を有する。例外的触媒能力を有することに加えて，この材料は燃料電池のアルカリ電解液に対する際立った耐食性を有している。使用に際して，合金材料は，１）正極全体にわたる水素分子解離触媒として；２）正極の表面６において水素と水酸基イオン（水溶性アルカリ電解液からの）から水を生成する水生成触媒として；及び３）水素イオンの迅速供給が表面６で常時可能であることを保証する（この能力は，以下に考察するように，燃料電池の始動及び再生エネルギーの回収などの事態において有用である）内部水素貯蔵バッファーとして働く。」
　
・「【００３９】　
　負極は，分子状酸素の原子状酸素への解離に対して触媒作用があり，水と酸素イオンからの水酸基イオン（ＯＨ−）の生成に対して触媒作用があり，電解質に対して耐食性で，触媒毒作用に抵抗力のある活性材料構成要素から成っている。」　
　
・「【００４０】　
　負極は，白金触媒を用いる従来の負極と同様に形成されるが，上述の非貴金属触媒が白金を置き換える。非貴金属触媒は，微細に分割されて多孔質炭素のマット状材料に分散される。材料は，必要に応じて伝導性基板を備えることも備えないこともある。用いる場合は，基板は上述したとおりのものでよい。　
 【００４１】　
　回生制動などのエネルギー回収過程において本発明の燃料電池が電解槽として逆向きに運転された場合，水は水素と酸素に電気分解される。即ち，電動乗物が都心部で停車発進を繰り返す形式で使用された場合，回生制動装置は運動エネルギーを回収でき，それを電気エネルギーに変換する。この形式において，電動機は，役割を逆にしてその運動の運動エネルギーを消費する発電機になる。これは，通常の運転負荷の約１０％に相当する電流のスパイクの原因となる。従来の燃料電池（アルカリ又はＰＥＭ）はこのようなサージ電流を受容できない。このエネルギーのフィードバックは，急速な水素及び酸素の放出の原因となり，触媒が一体性と粘着性を失う原因となって，それにより全体の系の性能を減衰させる。　
 【００４２】　
　本発明の燃料電池においてはこのことは問題にはならない，それは水素貯蔵正極がサージ電流を取り込んで，生成した水素を貯蔵するからである。しかし，この際，酸素還元電極では酸素が発生する。」　
　
・「【００４４】　
　図２は，本発明の電極１（ａは正極を示しｃは負極を示す）を組み入れたアルカリ燃料電池７の様式化した概略図である。燃料電池７は，概略三つの部分から成り立っている：１）正極１aと水素供給室８を含む正極部；２）電解液室１１；及び３）負極１ｃと酸素（空気）供給室１０を含む負極部。　
 【００４５】　
　正極部において，水素又は水素含有ガス混合物が，水素入口１２を通って水素供給室８へ加圧下で供給される。水素は，次いで表面５ａを通して正極１a内へ吸収される。吸収された水素は，正極活性材料の触媒作用で原子状水素に分解され，水素貯蔵合金中に水素化物として貯蔵され，最終的に表面６ａで水酸基イオンと反応し水を形成する。水素化物生成熱が燃料電池を最適動作温度まで温めるのに役立つということに注目すべきである。供給水素中の吸収されなかった水素及び他の汚染物質ガス又は水蒸気は出口１３を通って放出される。放出されたガスは，回収を保証するのに十分な水素が存在する時は再循環されることがある。それ以外に，水素は，水素化物床水素貯蔵タンクなど他の構成要素に必要な場合，熱エネルギー源を供給するのに用いられることがある。　
【００４６】　
　電解液室１１は，（この特別な実施例においては）正極１ａ及び負極１ｃと密接に接触した水溶性アルカリ電解液を保持する。アルカリ溶液はこの技術分野ではよく知られており，典型的には水酸化カリウム溶液である。電解液は，正極１ａの表面６ａで水素イオンと反応する水酸基イオン，並びに負極１ｃの表面６ｃで酸素イオンと反応する水分子を提供する。電解液は，入口１４及び出口１５を介して室１１を貫通して循環している（代りの実施態様においては，電解質はゼリー状などにして故意に動かないようにすることもある）。循環される電解液は，外部的に必要に応じて過熱又は冷却され，電解液の濃度は，電池が生成する水並びに電極を通しての水の蒸発による損失を補償するように，必要に応じて（ウィッキングなどによって）調節される。燃料電池電解液の調整装置は，この技術分野でよく知られており此処で更に詳しく説明する必要はない。　
【００４７】　
　負極部においては，酸素，空気，又はその他の酸素含有ガス混合物が酸素入口１８を通って酸素供給室１０に供給される。酸素は次いで表面５ｃを貫通して負極１ｃ内に吸収される。吸収された酸素は負極活性材料による触媒作用でイオン状の酸素に分解され，最終的に表面６ｃで水分子と反応し水酸基イオンを生成する。未吸収酸素及び供給原料中のその他のガス（例えば，窒素，二酸化炭素など）又は供給酸素中の水蒸気は，出口１９を通って放出される。　
【００４８】　
（実施例）　
　アルカリ燃料電池の正極活性材料として金属水素化物貯蔵合金の使用の基礎となる概念を立証するために，実験を行なった。定量的データを得るのがこの実験の意図ではなく，材料が予測されたとおりに働くことを示すことであった。この目的のために簡単な実験室規模の仕組みを用いた。燃料電池は，市場で入手できるＰｔ-型空気電極及びＭＦ１３９．１２合金（公称組成９．０原子％Ｔｉ，５．０原子％Ｖ，２６．２原子％Ｚｒ，３８．０原子％Ｎｉ，３．５原子％Ｃｒ，１５．６原子％Ｍｎ，０．８原子％Ｓｎ，１．５原子％Ｃｏ，及び０．４原子％Ａｌ）を有する予備エッチングした負極（ニッケル，エキスパンド金属基板）を利用して組み立てた。正極と負極は，セパレータ（不織ポリプロピレンマット，親水性材料で表面移植処理済み，密度３０ｇ／ｍ2）で分離し，ＫＯＨ電解液（３０重量％ＫＯＨ，１．５重量％ＬｉＯＨの水溶液）中に浸漬し，最終的に試験電池内に置いた。」　
　
・「【００５５】　
　本発明の燃料電池及びそれを取り入れたエネルギー供給装置は，例えば乗物に動力を与える場合などの瞬間始動及びエネルギー回収が必要条件である用途に対して特に有用である。例えば，民生用乗物においては，本発明の水素貯蔵装置を備えた燃料電池は，電極に貯蔵された水素から瞬間的にエネルギーを生成して始動できるという利点を持っている。即ち，外部水素源から供給される水素を待つ間の遅延時間が存在しない。加えて，燃料電池の正極材料に水素が吸収され貯蔵されることが可能なので，エネルギー回収も同様に達成できる。それ故，燃料電池を逆に運転して発生する水素は燃料電池の電極中に貯蔵されるので，燃料電池に外付けする蓄電池を必要としないで，回生制動などの活動が実行できる。それ故，本発明の水素貯蔵材料を採用している燃料電池は，本質的に，蓄電池と組み合わされた燃料電池の等価物である。」　
　
・段落【００４１】，【００４２】の記載事項から，エネルギー回収過程において，燃料電池が電解槽として逆向きに運転された場合，水は水素と酸素に電気分解されるから，水と電気により，燃料電池及びそれを取り入れたエネルギー供給装置は，電解質存在下で水を電解して，水素と酸素とを発生させ，水素が正極に貯蔵されることが理解できる。　
　
・段落【００４５】の「水素貯蔵合金中に水素化物として貯蔵され，最終的に表面６ａで水酸基イオンと反応し水を形成する。」なる記載からみて，水素化物と水酸基イオンとが反応して水が形成される際には，電気が発生することが理解できる。　
　
・段落【００４５】〜【００４７】の記載事項からみて，貯蔵された水素と酸素，空気又はその他の酸素含有ガス混合物（酸化性物質）とが電解液室を通して反応して，水と電気を発生することが理解できる。　
　
・段落【００４５】〜【００４７】の記載からみて，正極は燃料極であるからアノードであり，負極は空気極であるからカソードであることが理解できる。　
　
　これらの事項及び図示内容を総合すると，刊行物１には，以下の発明（以下，「引用発明」という。）が記載されていると認められる。
「水素貯蔵材料から形成された正極と，触媒作用がある負極と，上記正極と負極を不織ポリプロピレンマットからなるセパレータで分離しＫＯＨ電解液中に浸漬したものと，を備える，エネルギー回収過程において水を水素と酸素に電気分解する運転態様とエネルギーを生成して始動する運転態様を有する燃料電池及びそれを取り入れたエネルギー供給装置であって，　
　エネルギー回収過程において燃料電池が電解槽として逆向きに運転された場合において，水と電気により，当該燃料電池及びそれを取り入れたエネルギー供給装置は，電解質存在下で水を電解して，水素と酸素とを発生させ，水素が正極に貯蔵され，エネルギーを生成する場合において，負極に酸素，空気又はその他の酸素含有ガス混合物が供給されると当該燃料電池及びそれを取り入れたエネルギー供給装置は，貯蔵された水素と酸素，空気又はその他の酸素含有ガス混合物とが，電解液室を通して反応して，水と電気を発生させるものであり，正極がアノードであり，負極がカソードである，燃料電池及びそれを取り入れたエネルギー供給装置。」　
　
（２）平成２６年　９月１９日付けの当審における拒絶の理由で引用された本願の優先権主張の日前に頒布された刊行物である特開２００４−１３４３６２号公報（以下，「刊行物２」という。）には，「相互接続部支持燃料電池アセンブリ，プレフォーム及び製造方法」に関し，図面とともに次の事項が記載されている。
・「【請求項１】　
少なくとも２つの電極１１２，１１６及びそれらの間に挿入された電解質１１４を含む少なくとも１つの燃料電池１１８と，
前記電極１１２，１１６の少なくとも一方又は前記電解質１１４と密接に接触し，除去可能な犠牲材料１１０により当初規定される少なくとも１つの流路１０４を含み，前記電極１１２，１１６及び前記電解質１１４の支持を行う相互接続部構造１０２とを具備する燃料電池アセンブリ１００。」　
　
・「【０００１】　
本発明は一般に燃料電池に関し，特に相互接続部支持燃料電池アセンブリ，プレフォーム及び製造方法に関する。」　
　
・「【００１９】　
図６に示すように，繰り返し可能電池ユニット１１８を完成するために電解質層１１４の上に陰極層１１６が配置される。陰極層１１６の主な目的は，オキシダントの電気化学的還元のための反応場所を提供することである。従って，陰極層１１６は酸化環境の中で安定していなければならず，燃料電池の動作条件におけるオキシダントガスの反応に対して十分な電子電導率，表面積及び触媒反応を有していなければならず，且つガスを反応場所まで搬送できるように十分な多孔率を有していなければならない。陰極層１１６は，導電性酸化物，灰チタン石，不純物添加ＬａＭｎＯ３，Ｓｒ添加ＬａＭｏＯ４（ＳＬＭ），スズ添加酸化インジウム（Ｉｎ２Ｏ３），ストロンチウム添加ＰｒＭｎＯ３，ＬａＦｅＯ３−ＬａＣｏＯ３　ＲｕＯ２−ＹＳＺ，Ｌａ輝コバルト鉱及びそれらの組み合わせを含むが，これらには限定されない，上述のような特性を有する多数の材料から製造できる。」　
　
・「【００２２】　
燃料電池１００は固体酸化物燃料電池，プロトン交換膜又は固体ポリマー燃料電池，溶融炭酸塩燃料電池，リン酸燃料電池，アルカリ燃料電池，ダイレクトメタノール燃料電池，再生燃料電池，亜鉛空気燃料電池又はプロトニックセラミック燃料電池を含むが，これらには限定されない，流路を必要とするどのような種類の燃料電池であっても良い。」　
　
３．発明の対比　
　本願発明と引用発明とを対比すると，後者の「正極」は前者の「第１の電極」に，以下同様に，「負極」は「第２の電極」に，「水素貯蔵材料から形成され」た態様は「水素を貯蔵可能な」態様に，「酸素，空気又はその他の酸素含有ガス混合物」は「酸化性物質」に，「供給」は「導入」にそれぞれ相当する。　
　後者の「触媒作用がある負極と，上記正極と負極を不織ポリプロピレンマットからなるセパレータで分離しＫＯＨ電解液中に浸漬したものと，を備える」態様と，前者の「第２の電極と，上記第１の電極と第２の電極の間に配設された実質的に電気絶縁性の膜であって電解質を吸収させることにより実質的にイオン伝導性とした膜と，前記膜の第２の電極側に隣接して配置された触媒層と，前記触媒層と第２の電極との間に配置されたガス拡散層とを備える」態様とは，「第２の電極と，上記第１の電極と第２の電極の間に配設された実質的に電気絶縁性の物体であって電解質を吸収させることにより実質的にイオン伝導性とした物体と，を備え」る概念において共通する。　
　後者の「エネルギー回収過程において水を水素と酸素に電気分解する運転態様とエネルギーを生成して始動する運転態様を有する燃料電池及びそれを取り入れたエネルギー供給装置」は，前者の「デュアルモードの電気化学システム」または「デュアルモード電気化学システム」に，「燃料電池及びそれを取り入れたエネルギー吸収装置」は「デュアルモード電気化学システム」，「電気化学システム」及び「システム」に，それぞれ相当する。　
　後者の「エネルギー回収過程において燃料電池が電解槽として逆向きに運転された場合」は前者の「第１のモード」に相当し，後者の「エネルギーを生成する場合」は前者の「第２のモード」にそれぞれ相当する。　
　後者の「エネルギー回収過程において燃料電池が電解槽として逆向きに運転された場合において，水と電気により，当該燃料電池及びそれを取り入れたエネルギー供給装置は，電解質存在下で水を電解して，水素と酸素とを発生させ，水素が正極に貯蔵され」る態様と，前者の「第１のモードにおいて，水と電気とが導入されると，当該デュアルモード電気化学システムは上記電解質存在下で水を電解して，膜を通して水素と酸素とを発生させ，水素が第１の電極に貯蔵され」る態様とは，「第１のモードにおいて，水と電気により，当該デュアルモード電気化学システムは電解質存在下で水を電解して，水素と酸素とを発生させ，水素が第１の電極に貯蔵され」る概念において共通する。　
　後者の「エネルギーを生成する場合において，負極に酸素，空気又はその他の酸素含有ガス混合物が供給されると当該燃料電池及びそれを取り入れたエネルギー供給装置は，貯蔵された水素と酸素，空気又はその他の酸素含有ガス混合物とが，電解液室を通して反応して，水と電気を発生させるものであ」る態様と，前者の「第２のモードにおいて，第２の電極に酸化性物質が導入されると，当該デュアルモード電気化学システムは，貯蔵された水素と酸化性物質とが膜を通して反応して水と電気とを発生させるものであ」る態様とは，「第２のモードにおいて，第２の電極に酸化性物質が導入されると，当該デュアルモード電気化学システムは，貯蔵された水素と酸化性物質とが反応して水と電気とを発生させるものであ」る概念において共通する。　
　そうすると，両者は，　
「水素を貯蔵可能な第１の電極と，第２の電極と，上記第１の電極と第２の電極の間に配設された実質的に電気絶縁性の物体であって電解質を吸収させることにより実質的にイオン伝導性とした物体と，を備えるデュアルモード電気化学システムであって，　
　第１のモードにおいて，水と電気により，当該デュアルモード電気化学システムは上記電解質存在下で水を電解して，水素と酸素とを発生させ，水素が第１の電極に貯蔵され，第２のモードにおいて，第２の電極に酸化性物質が導入されると，当該デュアルモード電気化学システムは，貯蔵された水素と酸性化物質とが，反応して，水と電気を発生させるものであり，第１の電極がアノードであり，第２の電極がカソードである，システム。」　
の点で一致し，以下の各点で相違すると認められる。　
＜相違点１＞　
　第１の電極と第２の電極の間に配設された実質的に電気絶縁性の物体であって電解質を吸収させることにより実質的にイオン伝導性とした物体に関して，前記「物体」が，本願発明では，「膜」であるのに対して，引用発明では，「不織ポリプロピレンマット」である点。　
＜相違点２＞　
　前記「物体」の第２の電極側には，本願発明では，「前記膜の第２の電極側に隣接して配置された触媒層」と，「前記触媒層と第２の電極との間に配置されたガス拡散層」と第２の電極を備えるのに対して，引用発明では，触媒作用がある負極を備えるものの，それ以上の特定はなされていない点。　
＜相違点３＞
　第１のモードにおいて，本願発明では，水と電気が「導入」されるのに対して，引用発明では，水と電気によってではあるものの，導入されるとの特定はなされていない点。　
＜相違点４＞　
  第１モードにおいて，当該デュアルモード電気化学システムは，電解質存在下で水を電解して，水素と酸素とを発生させることに関して，本願発明では，「膜を通して」水素と酸素を発生させるのに対して，引用発明では，そのような特定はなされていない点。　
＜相違点５＞　
　第２モードにおいて，当該デュアルモード電気化学システムは，貯蔵された水素と酸化性物質とが，水と電気とを発生させることに関して，本願発明では，「膜を通して」反応して水と電気を発生させるのに対して，引用発明では，電解液室１１を通して反応して水と電気を発生させるものの，それ以上の特定はなされていない点。　
＜相違点６＞　
　本願発明では，「カソードが，スズドープ酸化インジウム（Ｉｎ２Ｏ３），ストロンチウムドープＰｒＭｎＯ３，Ｌａフェライト，Ｌａコバルタイト及びＲｕＯ２−ＹＳＺからなる群から選択される材料を含む」のに対して，引用発明では，そのような特定はなされていない点。　
　
４．相違点についての判断　
＜相違点１，４，５について＞　
　第１の電極と，第２の電極と，上記第１の電極と第２の電極の間に配設された実質的に電気絶縁性の膜であって電解質を吸収させることにより実質的にイオン伝導性とした膜を備えた電気化学電池は，本願の優先権主張の日前において周知である（必要があれば，特開平１０−２８３８３８号公報の請求項３，段落【０００１】，【０００２】，【０００９】，【００２８】を参照のこと。）。　
　そして，上記周知の事項に鑑みれば，引用発明の電解液が含浸された不織ポリプロピレンマットを膜とすることは，当業者が適宜採用できる事項にすぎない。
　また，引用発明においても，電解質存在下で水を電解して，水素と酸素を発生させるものであり，電解液室に不織ポリプロピレンマットがあるから，該不織ポリプロピレンマットを通して水素と酸素が発生されるものである。
　同じく，引用発明では，電解液室を通して反応して水と電気を発生させるものであり，電解液室に不織ポリプロピレンマットがあるから，不織ポリプロピレンマットを通して反応して水と電気を発生させるものである。
　そこで，不織ポリプロピレンマットを膜とすることは，上述したように適宜採用できる事項であるから，相違点１，４，５における本願発明の発明特定事項を採用することは，当業者が容易に想到し得たものである。　
　
＜相違点２について＞　
　燃料電池として，高分子固体電解質膜（イオン交換膜）の集電体（第２の電極）側に触媒層と，ガス拡散層と，集電体を順に備えることは，本願の優先権主張の日前において周知である（必要があれば，特開２００３−３３６１４５号公報の段落【０００３】，再公表特許ＷＯ００／４４０６０号の第１２ページ１〜４行を参照のこと。）。　
　そして，引用発明の正極と負極の間の電解液室に設けた不織ポリプロピレンマットの負極側に，上記周知の事項を適用して，相違点２における本願発明の発明特定事項を採用することは，当業者が適宜なし得る事項にすぎない。　
　
＜相違点３について＞　
　引用発明においては，第２モードで水が発生するため，第１モードで水を導入することは開示がない。　
　しかしながら，第１モードにおいて水を電気分解するためには，当然，水と電気が必要なのであるから，それらを「導入させる」ことには，当業者にとってなんら困難性はない。　
　
＜相違点６について＞　
　刊行物２には，燃料電池において，陰極層（カソード）が，スズ添加酸化インジウム（Ｉｎ２Ｏ３），ストロンチウム添加ＰｒＭｎＯ３，ＬａＦｅＯ３−ＬａＣｏＯ３　ＲｕＯ２−ＹＳＺ，Ｌａ輝コバルト鉱及びそれらの組み合わせを含むことが開示されている。　
　そうすると，引用発明の燃料電池のカソードに，刊行物２に開示された事項を適用して，相違点６における本願発明の発明特定事項を採用することには，当業者にとって何ら創作力を要するものではない。　
　
　そして，本願発明の作用効果について検討しても，引用発明，刊行物２に開示された事項，及び周知の事項から当業者が予測し得たものであって，格別なものとはいえない。　
　
 ５．むすび　
　以上のとおりであるから，本願発明は，引用発明，刊行物２に開示された事項に基づいて，当業者が容易に発明をすることができたものであるから，特許法第２９条第２項の規定により特許を受けることができない。　
　そうすると，このような特許を受けることができない発明を包含する本願は，他の請求項に係る発明について検討するまでもなく，拒絶されるべきものである。　
　よって，結論のとおり審決する。